(57)【特許請求の範囲】
【請求項１】
観察試料から下向きに延びる光軸上に対物レンズを配置し、この対物レンズから出射した光路を接眼レンズに向けて反射する反射部材を備えた倒立顕微鏡において、
複数の前記対物レンズを保持してそのうちの一つを選択的に前記光軸上に挿入するレボルバーと、
このレボルバーを焦準移動させる焦準機構と、
前記レボルバーと前記焦準機構とが設けられた中央ユニットと、
前後面と左右面を各々形成する側壁と、前記各側壁の下方部と当接し、少なくとも一部に開口部を有する底面と、前記各側壁に囲まれた内部空間を前後に分割する、前記左右面の間に形成されたリブとを有する本体とを備え、
前記中央ユニットは、前記本体の前記後面、前記左右面と前記リブで囲まれた後側の空間に着脱可能に収容固定されることを特徴とする倒立顕微鏡。
【請求項２】
請求項１において、前記本体は前記中央ユニットを位置決めするための当て付け面を有し、前記中央ユニットは、前記光軸の向きに沿って上から前記本体内に挿入されて前記当て付け面に当接して固定される、倒立顕微鏡。
【請求項３】
請求項１において、前記中央ユニットは、前記レボルバーの下側に配置された結像レンズを更に備えている、倒立顕微鏡。
【請求項４】
請求項１において、前記中央ユニットは、前記レボルバーの下側に配置され顕微鏡の光軸に対して蛍光キューブを挿脱自在にする蛍光キューブターレットを更に備えている、倒立顕微鏡。
【請求項５】
請求項１において、前記本体の底面には、前記対物レンズから出射した光路の延長上に開口部が形成され、前記開口部には、前記反射部材を保持した反射ユニットが取り付けられる、倒立顕微鏡。
【請求項６】
請求項１において、前記対物レンズで取得された観察像を前記接眼レンズにリレーするリレーレンズを保持したリレーレンズユニットをさらに備え、前記リレーレンズユニットは、前記リブと前記本体の前面の側壁との間の空間内に当該リレーレンズユニットの光軸の向きに沿って挿入されて前記本体に固定される、倒立顕微鏡。
【請求項７】
請求項６において、前記本体は前記リレーレンズユニットを位置決めする当て付け面を有し、前記リレーレンズユニットは前記本体の当て付け面に当接して固定するためのフランジ部を有する、倒立顕微鏡。
【請求項８】
請求項１において、前記本体の後面の側壁の後側に電源ユニットが配置されている、倒立顕微鏡。
【請求項９】
請求項１において、前記本体の前記底面の少なくとも一部に形成された開口部は、前記反射部材の交換用の開口部である、倒立顕微鏡。
【発明の詳細な説明】
【０００１】
【産業上の利用分野】
本発明は、観察光学系の光学素子が標本を載せるステージの下に配置されている倒立顕微鏡に関する。
【０００２】
【従来の技術】
倒立顕微鏡は、医学や生理学等の生きた細胞を扱う各分野の研究に幅広く利用されている。たとえば、顕微受精や電気生理学実験での培養細胞の活動電位の計測などがあげられる。
【０００３】
この種の顕微鏡の標本下部の光学素子の配置は、特開平３−１７２８１６、特公昭５７−３７８４８、特開昭６０−５３９１６、特公平４−３０５６５に開示されている通り、顕微鏡本体には、対物レンズ直下に落射蛍光観察をするためのダイクロイックミラーボックスが挿脱自在に設置されていて、続いて対物レンズを透過した標本の拡大像を結像するための結像レンズが設置されている。特公平４−３０５６５では、光を部分的に反射して観察光路と撮影光路に沿って伝搬する光に分割するための第一光学素子が設置されている。第一光学素子は、光軸中に適宜挿入し得るように摺動可能に設けられていている。さらに下部に第一光学素子を透過した光を観察光路へ偏向する第二光学素子が設置されている。結像レンズにより結像された対物の一次像は、第二光学素子による偏向後に結像し、その結像位置には焦点鏡が設置されている。焦点鏡には、第一光学素子により反射され、撮影光路に導かれた標本の拡大像の撮影手段（たとえば３５ｍｍカメラや大版カメラ）に対応した撮影範囲を示すマスクと焦点合わせのための二重複十字線が入っている。焦点鏡の次には対物の一次像を観察鏡筒へリレーするためのリレー光学系が配置されている。リレー光学系の射出口には観察鏡筒が取り付けられていて、接眼レンズを介して標本像が観察される。
【０００４】
特開平３−１７２８１６では、光学素子の保持方式は特に本文中には記述されていないが、実施例の図面には、結像レンズ、第一光学素子、第二光学素子、リレー光学系の各々を取り付けた別々の保持部材を顕微鏡本体に固定する構成が示されている。
【０００５】
また、特公昭５７−３７８４８では、測光ポートの増設等の特殊目的の改造のため、顕微鏡本体側面に開口を設けるとともに、この開口に光学素子を配設したかぶせ板を交換可能に取り付ける構成が開示されている。
【０００６】
【発明が解決しようとする課題】
生きた細胞を扱う研究においては、顕微鏡下で、生きた細胞に対して、つかむ、刺す、切る、注入するなどの微細操作を行なうマニピュレーターがよく使用される。数〜数十μｍの細胞に対して微細操作を行なうため、顕微鏡操作に伴なう振動や外部からの振動は、保持した細胞が外れたり、顕微鏡視野外に移動したりといった事態を引き起こし、作業性を著しく低下させる。また、小動物を顕微鏡ステージに載せて血流速計測などを行なう微小循環などの分野などでは、ステージおよび顕微鏡本体の剛性向上が求められている。
【０００７】
細胞や動物を生かし続けるために、培養液などを絶えず還流させることがよく行なわれる。このため、本体の内部外部を問わず、こぼれた培養液によって、標本直下の光学系に汚れやカビが生じて、光学性能が低下する場合がある。
【０００８】
特開平３−１７２８１６に開示される光学素子の保持方式では、顕微鏡本体自身の部品加工精度の必要な場所が分散しているため、コストが高いものとなっている。また、顕微鏡全体の光学調整を内部で行なわなければならないため、調整を容易に行なえるようにするには、広い作業スペースを確保する必要がある。しかし、広い作業スペースを確保すると、今度は剛性の低下を招く。剛性確保のためには、光学素子や保持部材配置のための最小限のスペースで区切るリブを設けることが好ましいが、広い作業スペースを確保しようとした場合には、このような対応がとれない。
【０００９】
観察光学系は標本の下に位置するため、標本の培養液がこぼれると、対物レンズや本体内部の光学素子が汚れる。各光学素子は別個に本体に取り付けられていて、交換や清浄したい光学素子のみを取り外すことが難しい。また、光学素子を取り外さずに清浄するには、本体内部の作業スペースが狭いために作業が行ないずらい。
【００１０】
また、特公昭５７−３７８４８に開示される光学素子の保持方式では、顕微鏡本体に大きな開口を設けているため、剛性が低いものとなっている。かぶせ板に設けた光学素子の観察光路に対する位置合わせは、本体の当て付け面の高さで合わせているが、かぶせ板に取り付けた光学素子は片持ち構造であるため、測光ポートに重い装置を取り付けた場合などに、光学素子の位置が狂うことがある。
【００１１】
倒立顕微鏡は一般に照明光源を点灯する電源を顕微鏡本体内に内蔵している。細胞の形態観察では、倒立顕微鏡下で、生きた細胞の変化の様子を数分から数時間毎に、カメラもしくはビデオによる間欠撮影が行なわれる。このような状況や、長時間露出を必要とする蛍光写真など撮影においては、照明が長時間にわたって行なわれる。長時間の照明は、本体内の電源の発熱により、本体の膨張やレンズの屈折率の変化を引き起こす。この結果、光学系に焦点ずれが生じ、写真のピントぼけという事態が発生する。そこで従来は、対物レンズを焦点深度の深い１０倍ないし２０倍程度の倍率のものに制限したり、電源の発熱による本体の膨張の影響が平衡に達するまで撮影をしないなどの制限が生じていた。これに対して、さらに高倍率の対物レンズを用いた観察や撮影をしたいとの要望は強く、これを達成し得るように電源の発熱による焦点ずれをなくすことが望まれている。
【００１２】
また、電源の発熱は、本体の熱膨張による焦点ずれ以外にも、本体内部に空気の対流を引き起こし、これにより舞い上がった埃や塵が光学系に付着して、光学系の見えを劣化させるという不都合がある。
【００１３】
さらに、電源を内蔵した倒立顕微鏡では、標本である細胞を生かし続けるために培養液を還流させた場合に、こぼれた培養液が電源をショートさせるという危険がある。
【００１４】
このような実状に対応するため、電源を本体内部に内蔵せずに、外部電源を用いて照明光源を点灯するという構成も提案されているが、倒立顕微鏡はスペースに制限のあるクリーンベンチ内で使用することも多いため、机上スペースを犠牲にする点で好ましい構成といえない。
【００１５】
本発明は、剛性の高い倒立顕微鏡を提供することを目的とする。
また本発明は、光学素子の組み付け作業が容易に行なえる構成の倒立顕微鏡を提供することを目的とする。
【００１６】
さらに本発明は、交換や清掃のために光学素子を容易に取り外すことのできる構成の倒立顕微鏡を提供することを目的とする。
またさらに本発明は、加工とくに当て付け面の形成が容易に行なえる構成の倒立顕微鏡を提供することを目的とする。
加えて本発明は、照明光源を点灯させる電源の発熱による本体の膨張や空気の対流が生じ難い構成の倒立顕微鏡を提供することを目的とする。
【００１７】
【課題を解決するための手段】
本発明は、観察試料から下向きに延びる光軸上に対物レンズを配置し、この対物レンズから出射した光路を接眼レンズに向けて反射する反射部材を備えた倒立顕微鏡に向けられている。本発明の倒立顕微は、複数の前記対物レンズを保持してそのうちの一つを選択的に前記光軸上に挿入するレボルバーと、このレボルバーを焦準移動させる焦準機構と、前記レボルバーと前記焦準機構とが設けられた中央ユニットと、前後面と左右面を各々形成する側壁と、前記各側壁の下方部と当接し、少なくとも一部に開口部を有する底面と、前記各側壁に囲まれた内部空間を前後に分割する、前記左右面の間に形成されたリブとを有する本体とを備え、前記中央ユニットは、前記本体の前記後面、前記左右面と前記リブで囲まれた後側の空間に着脱可能に収容固定されることを特徴とする。
【００１８】
【作用】
中央ユニットには、対物レンズの他にも種々の光学素子が設けられる。対物レンズを含めた光学素子の調整は、中央ユニットを本体から外した状態で行なわれる。中央ユニットは光学素子の調整終了後に本体に組み付けられる。本体は、中央ユニットを収容する空間を定めるリブが設けられているので、その剛性は高いものとなっている。
【００１９】
【実施例】
次に図面を参照しながら本発明の実施例の倒立顕微鏡について説明する。
図１に示すように、顕微鏡本体１は透過照明支柱を保持する照明ダイ１ａと観察鏡筒３９を保持固定する観察鏡筒ダイ１ｂを有している。透過照明支柱には透過照明系２とコンデンサーレンズ３が設けられている。図２に詳しく示すように、ステージ４はビスにより本体１の照明ダイ１ａと観察鏡筒ダイ１ｂに固定される。顕微鏡本体１は、図３と図５から分かるように、底面４４と、前後左右の面に形成された外壁すなわち前後の両側壁４２と４３と左右の両側壁３７と３８と、これらに囲まれた空間を前後に分割するように形成されたリブ３６とを有している。
【００２０】
顕微鏡本体１にはベースユニット（中央ユニット）３４が組み込まれている。ベースユニット３４は、図３に示すように、顕微鏡本体１に対して光軸方向に着脱できるように構成されている。ベースユニット３４には、特に図２に詳細に示すように、レボルバー５、蛍光キューブカセット１０、結像レンズ１１、光路分割プリズム１５が設けられている。
【００２１】
レボルバー５は、複数の対物レンズ６を回転により切り換え可能に保持している。
蛍光キューブカセット１０は軸９を中心とする円周上に複数の蛍光キューブ８を有していて、軸９を中心に回転させることによって、所望の一つを落射照明系の光路７上に配置できるようになっている。蛍光キューブ８の各々は、ダイクロイックミラー８ａと励起フィルター８ｂと吸収フィルター８ｃを備えている。
【００２２】
結像レンズ１１は、たとえば、対物レンズ６の拡大像をそれぞれ１倍と１．５倍で投影する二種類が設けられている。結像レンズ１１を保持している保持部材１３は、アリ等のスライド機構１２によって移動可能に支持されており、これに固定されていて顕微鏡本体１の外側に突出している切換ノブ１４ａ（図４に示す）を移動させることによって、所望の結像レンズ１１を光路上に配置できるようになっている。切換ノブ１４ａは、ベースユニット３４を顕微鏡本体１に装着した後、顕微鏡本体１の外部から例えばねじ込みによって組み付けられる。
【００２３】
光路分割プリズム１５は、分割する光量比や分割する方向が異なっている複数種類たとえば三種類が設けられていて、その各々は結像レンズ１１からの光を一部を撮影光路１６または撮影光路１７（図５に示す）へ向けて反射し、残りを透過する。複数の光路分割プリズム１５は、結像レンズ１１のスライド機構１２と同様の構造をした切換機構１８によってスライド可能に保持されていて、切換機構１８に固定され顕微鏡本体１の外側に突出している切換ノブ１４ｂ（図４に示す）を操作することにより、所望の一つを光路中に配置できるようになっている。切換ノブ１４ｂは、ベースユニット３４を顕微鏡本体１に装着した後、顕微鏡本体１の外部から例えばねじ込みによって組み付けられる。
【００２４】
光路分割プリズム１５の切換機構１８は、図３に示すように、ビスなどの締結手段１９によってガイド保持部材２０に固定されている。ガイド保持部材２０には、図４に示すように、ピント合わせのためにレボルバー５を光軸に沿って移動（焦準移動）させるためのクロスローラーガイドに代表される案内２１の一方が固定されている。案内２１の他方は上下案内部材２８に固定されている。上下案内部材２８は腕２７を有しており、この腕２７の端部には、本体外部からの操作でレボルバー５を上下させるため、公知の粗微動共軸ハンドル２４に減速ギヤボックス２５を介して連結されるラック２６が取り付けられている。上下案内部材２８には、レボルバー５を保持するレボ台２３が取り付けられている。レボ台２３は上下案内部材２８へアリ２２によって組み付けられ、アリのテーパーと同じ角度を持ったコマ２９をネジ３０で引き込むことにより固定されている。レボ台２３はネジ３０を緩めることにより外すことができ、レボルバー５を電動レボルバーなどに組換えることも容易に行なえる。
【００２５】
ガイド保持部材２０と上下案内部材２８の間には、図２に示すように、ラック２６に懸かる荷重を軽減するバランスバネ３１が設けられている。バランスバネ３１の内側には、上下案内部材２８とガイド保持部材２０にそれぞれ設けられたバネ案内部材３２と３３が通っていて、バランスバネ３１が座屈することなく伸縮するようになっている。
【００２６】
ベースユニット３４は顕微鏡本体１に形成した当て付け面３５に当てて組み付けられる。このとき、上下案内部材２８の腕２７は、図６に示す、本体１の両側壁３７と３８をつなぐリブ３６に設けた開口４１を通って配置される。図５に示す、本体１の底面４４に設けた開口から、組み付けられた減速ギヤボックス２５を介して、本体１に設けられている粗微動共軸ハンドル２４と、上下案内部材２８の腕２７の先端にビスにより組み付けたラック２６とを、対物レンズ６の移動ストローク範囲を合わせて連結する。腕２７の先端は、本体１のリブ３６を超える長さになっていないので、ベースユニット３４に取付けられている種々の光学素子は光軸方向に取り外し可能となる。ラック２６を組み付けた後、埃や塵の侵入を防ぐため、本体１の底面４４の開口には蓋が取り付けられる。
【００２７】
図１に示すように、顕微鏡本体１の底面４４には開口部４６が設けられている。この開口部４６には、図２に示すように、光路分割プリズム１５を透過した光を後述するリレーレンズユニット５８に向けて反射する反射ミラー４７を備えた反射ミラーユニット５３が組み付けられる。反射ミラー４７を保持する部材４８はボール５０とビス５１を介して固定部材４９に取り付けられていて、ビス５１を調整することで反射ミラー４７の向きを変えられるようになっている。固定部材４９は、図５から分かるように、三本のビス５２によって本体１に固定される。
【００２８】
この開口部４６には、図３に示すように、反射ミラーユニット５３に代えて、別の撮影ポート付き反射ミラーユニット５４を取り付けてもよい。この反射ミラーユニット５４は、固定部材４９に開口が設けられていて、これに撮影装置を取り付けるための撮影ポート５６が取り付けられている。反射ミラー４７は、光路分割プリズム１５を透過した光をリレーレンズユニット５８へ向けて反射する位置と、固定部材４９と撮影ポート５６の開口を遮らない位置との間で切り換えられるように、切換機構５５に保持されている。
【００２９】
図１〜図３に示すように、顕微鏡本体１には、リレーレンズユニット５８が組み付けられる。リレーレンズユニット５８は、焦点鏡５７の保持枠５９を保持する案内６１を備えていて、対物レンズ６の一次像を観察鏡筒３９の接眼レンズ６３の像位置へリレーするリレーレンズ群６２ａと６２ｂを内蔵している。リレーレンズユニット５８は図３の矢印方向から本体１に挿入され、フランジ部５８ａがビス等の締結手段により本体１の当て付け面６９に固定される。固定の際には、反射ミラー４７の反射光の心の微調整のため、また対物レンズ６の一次像位置と焦点鏡５７の位置を正確に合わせるため、フランジ部５８ａと当て付け面６９の間に間隔補正環（図示せず）を入れ、かつリレーレンズユニットを当て付け面６９上でふることによって調整する。その後、観察鏡筒３９を保持するためのマウント６４が当て付け面６９に固定され、マウント６４に観察鏡筒３９が取り付けられる。
【００３０】
焦点鏡５７は保持枠５９に接着等により固定されていて、この保持枠５９が本体１に組み付けたリレーレンズユニット５８の案内６１に保持される。これにより焦点鏡５７は結像レンズ１１によって像が形成される位置に配置される。焦点鏡５７の役割は特公平４−３０５６５で開示されている通りである。焦点鏡５７の保持枠５９には本体１の外部へ延びたノブが取り付けられていて、このノブを用いて焦点鏡５７を移動できるようになっていて、クリック機構等によって観察光路６０上に位置決めされる構成になっている。また、焦点鏡５７は、ノブを引き抜くことにより、本体１の外に取り出せるようになっている。これにより、焦点鏡５７に付着した埃や塵が本体１の外でクリーニングできる。
【００３１】
光路分割プリズム１５で反射された撮影光路１６上には、３５ｍｍカメラ６５を取り付けるための、撮影レンズ６６を備えた撮影ポート６７が本体１に取り付けられる。撮影ポート６７もリレーレンズユニット５８と同様にユニット化されており、図３に示すように、本体１の外から当て付け面６８に、撮影レンズ６６の心調整や間隔環調整を行なった後、ビス等の締結手段により固定される。
【００３２】
電源ユニット４５は、図７に示すように、照明光源を点灯させるための素子が配列された電装基板１０１を有している。電装基板１０１には発熱体となるトランジスタやトランスやコンデンサーが設けられている。電装基板１０１は各素子に必要な縁面距離を確保するためにスペーサー１０２を介して熱伝導率の高いアルミ等の放熱板１０３にビス等の締結手段１０４により固定されている。放熱板１０３には、電装基板１０１からの輻射熱を遮る断熱板１０８が取り付けられている。放熱板１０３は、本体１への取付部と同じ形状をした外枠１０６に、樹脂等の熱伝導の極めて低い断熱スペーサー１０５を介して、ビス等の締結手段１０７によって取り付けられている。電源ユニット４５は、図３に示すように、矢印の方向から顕微鏡本体１に組み付けられ、ビス等の締結手段を用いて外枠１０６が本体１に固定される。電源ユニット４５の取り付けには高い位置精度は必要ないので、顕微鏡本体１と外枠１０６の間に熱伝導率の極めて低い断熱材を挟み込むことが好ましい。電源ユニット４５の組付位置は、図１と図２に示すように、対物レンズ６の光軸から離れた、顕微鏡本体１の照明ダイ１ａの後方にある。また、照明ダイ１ａの下には本体１に一体的に形成されたリブ１ｃが設けられている。このリブ１ｃは、図７（Ｂ）に示す電源ユニット４５の外枠１０６と断熱板１０８の間の空間１０９および放熱板１０３と外枠１０６の隙間１１０を覆い隠す形状をしている。
【００３３】
これまで説明したように、本実施例の倒立顕微鏡では、図２に示すように、ベースユニット３４は顕微鏡本体１に対して対物レンズ６の光軸方向に着脱できる構成となっており、その位置決めはベースユニット３４を顕微鏡本体１に形成した当て付け面３５へ当て付けることで行なわれる。つまり本実施例では、顕微鏡本体１に対する当て付け面の加工は一箇所で済む。従って、加工に必要な刃物は少なくて済み、加工方向も一方向で済む。
【００３４】
ベースユニット３４に組み付ける光学素子（対物レンズ６、蛍光キューブ８、結像レンズ１１、光路分割プリズム１５）の調整は、ベースユニット３４を顕微鏡本体１に組み付ける前に行なわれるので、ベースユニット３４が入る必要最小限のスペースで区切るリブ３６を顕微鏡本体１に設けることができる。リブ３６は本体１の両側壁３７と３８に連結しており、これにより本体１は剛性の高いものとなっている。
【００３５】
ベースユニット３４が入る空間と電源ユニット４５が入る空間は側壁４３によって分離されているので、電装系修理時に光学系に塵が侵入することがなく、保守性に優れる。
【００３６】
電源ユニット４５は、放熱板１０３と外枠１０６の間に断熱スペーサー１０５が設けられているため、電装基板１０１からの伝導熱は外枠１０６へ伝わり難く、したがって顕微鏡本体１への熱伝導が低く抑えられる。また、図２に示すように、電装基板１０１と本体１の側壁４３との間には断熱板１０８が存在するため、電装基板１０１の発熱体から本体１への輻射熱が極めて低く抑えられる。したがって、本体１の温度上昇を低く抑えられ、本体１の熱膨張に起因する焦点ずれが軽減でき、光学系ユニット内の埃や塵の飛散も少なく抑えられる。
【００３７】
電源ユニット４５はステージ４の下方に位置していないので、こぼれた培養液が電源ユニット４５にかかってショートするといった危険がない。また、多量の培養液がこぼれた場合でも、本体１のリブ１ｃと外枠１０６の防水壁１０６ａにより、電装基板１０１に培養液がかかる危険は極めて少ない。
【００３８】
続いて、上述の実施例の変形例を図８を用いて説明する。図中、上述の実施例で説明した部材は同じ符号を用いて示してある。
上述の実施例は反射ミラー４７により観察鏡筒３９側に反射させているが、本変形例では反射ミラー４７により対物レンズ６の光軸に直交する方向に反射させている。
【００３９】
反射ミラー４７で反射された後の光路７０上に、焦点鏡５７とリレーレンズ６２ａとミラー７１を備えた第一リレーレンズユニット７２が配置されている。焦点鏡５７は対物レンズ６の一次像位置に配置され、ミラー７１は光路７０に沿って進行する光を上方に偏向する。ミラー７１で偏向された光路上に、リレーレンズ６２ｂを備えた第二リレーレンズユニット７３が配置されている。第二リレーレンズユニット７３の上に観察鏡筒３９が配置される。
【００４０】
第一リレーレンズユニット７２のフランジ部７２ａと第二リレーレンズユニット７３のフランジ部７３ａは、本体１に形成された当て付け面に光学調整後にビス等により固定される。
他の構成は上述の実施例と同じである。
本変形例の倒立顕微鏡は上述の実施例と同じ作用効果が得られる。
【００４１】
【発明の効果】
本発明によれば、剛性の高い倒立顕微鏡が得られる。また、光学素子の組み付け作業が容易に行なえる構成の倒立顕微鏡が得られる。さらに、交換や清掃のために光学素子を容易に取り外すことのできる構成の倒立顕微鏡が得られる。またさらに、当て付け面の形成が容易に行なえる構成の倒立顕微鏡が得られる。加えて、照明光源を点灯させる電源の発熱による本体の膨張や空気の対流が生じ難い構成の倒立顕微鏡が得られる。
【図面の簡単な説明】
【図１】本発明の実施例の倒立顕微鏡の全体の構成を示す断面図である。
【図２】図１に示した顕微鏡本体周辺部を拡大して示す断面図である。
【図３】顕微鏡本体に組み付けられるユニットの組付方向を示す図である。
【図４】ベースユニットを図３の矢印Ａの方向から見た図である。
【図５】顕微鏡本体を図１の矢印Ｂの方向から見た図である。
【図６】照明ダイを除く顕微鏡本体の部分斜視図である。
【図７】電源ユニットの構成を示す図で、（Ａ）は側断面図、（Ｂ）は部分断面下面図である。
【図８】図１〜図７に示した実施例の変形例の倒立顕微鏡の構成を示す図である。
【符号の説明】
１…顕微鏡本体、６…対物レンズ、３４…ベースユニット、３６…リブ、３７、３８…側壁。
【図１】
0003670316.tif 000002
【図２】
0003670316.tif 000003
【図３】
0003670316.tif 000004
【図４】
0003670316.tif 000005
【図５】
0003670316.tif 000006
【図６】
0003670316.tif 000007
【図７】
0003670316.tif 000008
【図８】
0003670316.tif 000009